(57)【要約】【課題】デジタルカメラなどによって撮像された画像から、使用者にとって写り具合がよいか否かを確認したい部分が含まれる拡大画像を作成して提示すること。【解決手段】ＩＣカードＩ／Ｆ２１４に挿入されたＩＣカードから画像データを、対応付けられた撮影情報とともに取り込み（Ｓ４１０）、その取り込んだ画像データおよび撮影情報をＲＡＭ２０８に記憶する（Ｓ４２０）。ユーザＩ／Ｆ２１２が「拡大サムネイル提示指示」を受け付けた場合には（Ｓ４３０：ＹＥＳ）、ＲＡＭ２０８が記録する撮影情報から合焦位置に関する情報を読み出し（Ｓ４４０）、その合焦位置に関する情報に基づき、合焦位置（Ｘ１，Ｙ１）を中心に部分拡大画像（拡大サムネイル）を作成する（Ｓ４５０）。そして、作成した拡大サムネイルを表示部２１６に表示させる（Ｓ４６０）。【選択図】図７
2006270578.tif 000002
【特許請求の範囲】
【請求項１】
撮像対象の画像を撮像する撮像装置と前記撮像装置が撮像した画像からサムネイルを作成して提示する画像提示装置とを備える画像提示システムであって、
前記撮像装置は、
前記撮像対象の画像を撮像可能な撮像手段と、
前記撮像手段に対して撮像動作を行うよう指示する指示部と、
前記撮像手段によって撮像された画像における焦点の位置を特定する焦点情報特定手段と、
前記撮像手段によって撮像された画像、および前記焦点情報特定手段によって特定された焦点の位置を示す焦点情報を記憶可能な記憶手段と、
前記撮像手段によって撮像された画像および前記焦点情報特定手段によって特定された焦点の位置を示す焦点情報を関連付けて前記記憶部に記憶させる記憶制御手段と、を備えており、
一方、前記画像提示装置は、
前記撮像装置の前記記憶手段が記憶する前記画像および前記焦点情報を取得可能な取得手段と、
前記画像から作成した通常のサムネイルを提示する旨の指示である通常サムネイル提示指示、または前記画像における前記焦点の位置を中心とする矩形領域から作成したサムネイルを提示する旨の指示である拡大サムネイル提示指示を受付可能な受付手段と、
前記受付手段が前記通常サムネイル提示指示を受け付けた場合には前記取得手段によって取得された画像から通常のサムネイルを作成する通常サムネイル作成処理を実行し、一方、前記受付手段が前記拡大サムネイル提示指示を受け付けた場合には、前記取得手段によって取得した画像に対して、前記取得手段によって取得した前記焦点の位置を中心とした矩形領域を設定し、前記画像における前記矩形領域からサムネイルを作成する拡大サムネイル作成処理を実行するサムネイル作成手段と、
前記サムネイル作成手段によって作成されたサムネイルを提示するための提示手段と、
前記サムネイル作成手段によって作成されたサムネイルを前記提示手段に提示させる提示制御手段と、を備えること
を特徴とする画像提示システム。
【請求項２】
請求項１に記載の画像提示システムにおいて、
前記受付手段は、前記通常サムネイルおよび前記拡大サムネイルを並べて提示する旨の両サムネイル同時提示指示を受け付け可能であり、
前記サムネイル作成手段は、前記受付手段が前記両サムネイル同時提示指示を受け付けた場合には、前記通常サムネイル処理および前記拡大サムネイル処理を実行して前記通常サムネイルおよび前記拡大サムネイルを作成し、
前記提示制御手段は、前記サムネイル作成手段によって作成された前記通常サムネイルおよび前記拡大サムネイルを前記提示手段に並べて提示させること
を特徴とする画像提示システム。
【請求項３】
撮像対象を含む画像を撮像可能な撮像装置との間でデータのやり取りを行うことによって、前記撮像装置から画像を取得し、その取得した画像からサムネイルを作成して提示する画像提示装置であって、
前記撮像装置によって撮像された画像、および前記画像における焦点の位置を示す焦点情報を取得可能な取得手段と、
前記画像から作成した通常のサムネイルを提示する旨の指示である通常サムネイル提示指示、または前記画像における前記焦点の位置を中心とする矩形領域から作成したサムネイルを提示する旨の指示である拡大サムネイル提示指示を受付可能な受付手段と、
前記受付手段が前記通常サムネイル提示指示を受け付けた場合には前記取得手段によって取得された画像からサムネイルを作成する通常サムネイル作成処理を実行し、一方、前記受付手段が前記拡大サムネイル提示指示を受け付けた場合には、前記取得手段によって取得した画像に対して、前記取得手段によって取得した前記焦点の位置を中心とした矩形領域を設定し、前記画像における前記矩形領域からサムネイルを作成する拡大サムネイル作成処理を実行するサムネイル作成手段と、
前記サムネイル作成手段によって作成されたサムネイルを提示するための提示手段と、
前記サムネイル作成手段によって作成されたサムネイルを前記提示手段に提示させる提示制御手段と、
を備えることを特徴とする画像提示装置。
【請求項４】
請求項３に記載の画像提示装置において、
前記受付手段は、前記通常サムネイルおよび前記拡大サムネイルを並べて提示する旨の両サムネイル同時提示指示を受け付け可能であり、
前記サムネイル作成手段は、前記受付手段が前記両サムネイル同時提示指示を受け付けた場合には、前記通常サムネイル処理および前記拡大サムネイル処理を実行して前記通常サムネイルおよび前記拡大サムネイルを作成し、
前記提示制御手段は、前記サムネイル作成手段によって作成された前記通常サムネイルおよび前記拡大サムネイルを前記提示手段に並べて提示させること
を特徴とする画像提示装置。
【発明の詳細な説明】
【技術分野】
【０００１】
本発明は、デジタルカメラなどによって撮像された画像から、使用者にとって写り具合がよいか否かを確認したい部分が含まれる拡大画像を作成して表示する技術に関する。
【背景技術】
【０００２】
従来より、デジタルカメラなどによって撮像された大量の画像中から人物像の写り具合のよい画像を効果的に選りすぐることを支援する画像選出支援装置が知られている（例えば、特許文献１参照。）。
【０００３】
このような画像選出支援装置の中には、それら大量の画像中から画像毎に顔などの特徴部分を部分的に拡大した画像をそれぞれ作成し、作成した画像群を並べて表示させるものや（特許文献１の段落「００４２」〜「００５０」および図９（Ａ）参照）、それら大量の画像からサムネイルおよび顔などの特徴部分を部分的に拡大した画像をそれぞれ作成し、作成したサムネイルと拡大画像とを関連付けて表示するものがある（特許文献１の段落「００５１」および図９（Ｂ）参照）。このことにより、それらの大量の画像から、手ぶれやピンボケ、露出設定のミス、フレームアウトなどが発生していない写り具合の良い画像を効果的に選りすぐることができる。
【特許文献１】特開２００１−１６５１２５号公報
【発明の開示】
【発明が解決しようとする課題】
【０００４】
しかし、上述のような画像選出支援装置においては、使用者にとって写り具合がよいか否かを確認したい部分が、必ずしも上述の拡大画像に含まれているとは限られないという問題があった。このことは次のような理由による。すなわち、上述の画像選出支援装置では、顔などの特徴部分を部分的に拡大した画像を作成しているが、使用者にとって写り具合がよいか否かを確認したい部分が上述の人物の顔などとは限らない。一例を挙げると、使用者が被写体である人物の服装や、草木や山などの風景などの写り具合を確認したい場合などである。なお、人物ではなく風景を撮影した場合には、その画像には人物の顔がそもそも存在しない。
【０００５】
本発明は、このような不具合に鑑みなされたものであり、その目的とするところは、デジタルカメラなどによって撮像された画像から、使用者にとって写り具合がよいか否かを確認したい部分が含まれる拡大画像を作成して提示する技術を提供することにある。
【課題を解決するための手段】
【０００６】
上記課題を解決するためになされた請求項１に係る画像提示システムは、「撮像対象の画像を撮像した際にその画像の焦点の位置を特定し、画像における焦点の位置を中心とする矩形領域からサムネイルを作成して提示すること」を特徴とする。
【０００７】
具体的には、本発明の画像提示システムは、撮像対象の画像を撮像する「撮像装置」と、撮像装置が撮像した画像からサムネイルを作成して提示する「画像提示装置」とを備える。
【０００８】
このうち撮像装置は、撮像対象の画像を撮像可能な「撮像手段」と、撮像手段に対して撮像動作を行うよう指示する「指示手段」と、焦点情報特定手段と、記憶手段と、記憶制御手段と、を備えている。焦点情報特定手段は、前記撮像手段が撮像する画像における焦点の位置を特定する。また、記憶制御手段は、撮像手段によって撮像された「画像」、および焦点情報特定手段によって特定された焦点の位置を示す「焦点情報」を関連付けて記憶手段に記憶させる。
【０００９】
一方、画像提示装置は、取得手段と、受付手段と、サムネイル作成手段と、提示手段と、提示制御手段と、を備えている。取得手段は、撮像装置の記憶手段が記憶する画像および焦点情報を撮像装置から取得可能であり、受付手段は、画像から作成した通常のサムネイルを提示する旨の指示である「通常サムネイル提示指示」、または画像における焦点の位置を中心とする矩形領域から作成したサムネイルを提示する旨の指示である「拡大サムネイル提示指示」を受付可能である。そして、受付手段が通常サムネイル提示指示を受け付けた場合には、サムネイル作成手段が、取得手段によって取得された画像から通常のサムネイルを作成する通常サムネイル作成処理を実行する。一方、受付手段が拡大サムネイル提示指示を受け付けた場合には、サムネイル作成手段が、取得手段によって取得した画像に対して、取得手段によって取得した焦点の位置を中心とした矩形領域を設定し、画像における矩形領域からサムネイルを作成する拡大サムネイル作成処理を実行する。さらに、提示制御手段が、サムネイル作成手段によって作成されたサムネイルを提示手段に提示させる。
【００１０】
このように構成された本発明の画像提示システムによれば、撮像対象の画像を撮像した際にその画像の焦点の位置を特定し、画像における焦点の位置を中心とする矩形領域からサムネイルを作成して提示するので、デジタルカメラなどによって撮像された画像から、使用者にとって写り具合がよいか否かを確認したい部分が含まれる拡大画像（サムネイル）を作成して提示することができ、したがって、使用者がピントや手ぶれ等の確認を容易に行うことができる。
【００１１】
なお、上述の指示手段は、使用者の指示による撮影、タイマーによる撮影、遠隔操作による撮影、外部からの指示による撮影等を撮像手段に対して指示することが考えられる。
この場合、上述の通常サムネイルおよび拡大サムネイルを並べて提示することが考えられる。具体的には、請求項２のように、受付手段が、通常サムネイルおよび拡大サムネイルを並べて提示する旨の「両サムネイル同時提示指示」を受け付け可能であり、サムネイル作成手段が、受付手段が両サムネイル同時提示指示を受け付けた場合には、通常サムネイル処理および拡大サムネイル処理を実行して通常サムネイルおよび拡大サムネイルを作成し、提示制御手段が、サムネイル作成手段によって作成された通常サムネイルおよび拡大サムネイルを提示手段に並べて提示させることが考えられる。
【００１２】
このように構成された本発明の画像提示システムによれば、使用者が提示された通常サムネイルおよび拡大サムネイルを比較することができるので、その画像の写り具合がよいか否かを確認しやく、使用者がピントや手ぶれ等の確認をより容易に行うことができる。
【００１３】
なお、上述のサムネイルを使用者へ提示する手法の具体例としては、作成したサムネイルをモニタなどの表示手段に表示させることや、作成したサムネイルを紙などの記録媒体に印刷することが考えられる。
【００１４】
また、上述の画像提示システムにおける撮像装置と画像提示装置との間のデータのやり取りの手法としては、ＩＣカードやＦＤなどの記録媒体によるデータ移動や、ＵＳＢなどの有線通信、無線ＬＡＮなどの無線通信などが挙げられる。
【００１５】
ところで、上記課題を解決するためになされた請求項３に係る画像提示装置は、撮像対象を含む画像を撮像可能な撮像装置との間でデータのやり取りを行うことによって、撮像装置から画像を取得し、その取得した画像からサムネイルを作成して提示するよう構成されている。
【００１６】
具体的には、本発明の画像提示装置は、取得手段と、受付手段と、サムネイル作成手段と提示手段と、提示制御手段と、を備えている。取得手段は、撮像装置によって撮像された「画像」、およびその画像における焦点の位置を示す「焦点情報」を撮像装置から取得可能であり、受付手段は、「通常サムネイル提示指示」または「拡大サムネイル提示指示」を受付可能である。そして、受付手段が通常サムネイル提示指示を受け付けた場合には、サムネイル作成手段が、取得手段によって取得された画像から通常のサムネイルを作成する通常サムネイル作成処理を実行する。一方、受付手段が拡大サムネイル提示指示を受け付けた場合には、サムネイル作成手段が、取得手段によって取得した画像に対して、取得手段によって取得した焦点の位置を中心とした矩形領域を設定し、画像における矩形領域から拡大されたサムネイルを作成する拡大サムネイル作成処理を実行する。さらに、提示制御手段が、サムネイル作成手段によって作成されたサムネイルを提示手段に提示させる。
【００１７】
このように構成された本発明の画像提示装置によれば、撮像装置によって撮像された画像、およびその画像の焦点の位置を示す情報を取得し、その取得した画像における焦点の位置を中心とする矩形領域からサムネイルを作成して提示するので、デジタルカメラなどによって撮像された画像から、使用者にとって写り具合がよいか否かを確認したい部分が含まれる拡大画像（サムネイル）を作成して提示することができ、したがって、使用者がピントや手ぶれ等の確認を容易に行うことができる。
【００１８】
この場合、上述の通常サムネイルおよび拡大サムネイルを並べて提示することが考えられる。具体的には、請求項４のように、受付手段が、「両サムネイル同時提示指示」を受け付け可能であり、サムネイル作成手段が、受付手段が両サムネイル同時提示指示を受け付けた場合には、通常サムネイル処理および拡大サムネイル処理を実行して通常サムネイルおよび拡大サムネイルを作成し、提示制御手段が、サムネイル作成手段によって作成された通常サムネイルおよび拡大サムネイルを提示手段に並べて提示させることが考えられる。
【００１９】
このように構成された本発明の画像提示装置によれば、使用者が提示された通常サムネイルおよび拡大サムネイルを比較することができるので、その画像の写り具合がよいか否かを確認しやく、使用者がピントや手ぶれ等の確認を容易に行うことができる。
【００２０】
なお、上述のサムネイルを使用者へ提示する手法の具体例としては、上述のように、作成したサムネイルをモニタなどの表示手段に表示させることや、作成したサムネイルを紙などの記録媒体に印刷することが考えられる。
【００２１】
また、上述の画像提示装置が撮像装置との間でデータのやり取りを行う手法としては、上述のように、ＩＣカードやＦＤなどの記録媒体によるデータ移動や、ＵＳＢなどの有線通信、無線ＬＡＮなどの無線通信などが挙げられる。
【発明を実施するための最良の形態】
【００２２】
以下に本発明の実施形態を図面とともに説明する。
図１は、画像提示システム１の全体構成を示すブロック図である。また、図２は、撮像装置１００の全体構成を示すブロック図であり、図３（ａ）は撮像装置１００のバッファメモリ１２９が記憶するデータの構造を示す説明図であり、図３（ｂ）は、撮像装置１００のファインダ画像を示す説明図である。また、図４は、画像提示装置２００の全体構成を示すブロック図であり、図５（ａ）は、画像データを示す説明図であり、図５（ｂ）は、画像提示装置２００の表示部２１６にて通常サムネイルと拡大サムネイルとを並べて表示した表示例である。
［第一実施形態］
画像提示システム１は、図１に示すように、撮像装置１００と画像提示装置２００とがデータ通信可能に構成されたものである。これら撮像装置１００と画像提示装置２００との間のデータのやり取りの手法としては、ＩＣカードやＦＤなどの記録媒体によるデータ移動や、ＵＳＢなどの有線通信、無線ＬＡＮなどの無線通信などが挙げられる。なお、以下の説明ではＩＣカードによるデータのやり取りを例に挙げる。
【００２３】
以下、撮像装置１００の構成および画像提示装置２００の構成について順に説明する。
［撮像装置１００の構成の説明］
撮像装置１００は、図２に示すように、レンズ１１１ａおよびレンズ１１１ｂから構成された撮影レンズ１１１、複数の画素からなり、撮影レンズ１１１を透過して各画素に結像した光画像を画像信号（電気信号）に光電変換するＣＣＤ１１３、Ａ／Ｄ変換部１１５、画像信号処理部１２１、ＣＣＤ１１３を駆動するＶＤＲＶ１２７、バッファメモリ１２９、入出力Ｉ／Ｆ１３１、操作部１３７、ＣＰＵ１３９、ＬＣＤによって構成され、ファインダ画像および画像データ表示可能な表示部１４１、種々の制御プログラムが格納されたＲＯＭ１４３、レンズ１１１ａを移動させることによってオートフォーカス動作を行うＡＦ駆動回路１４５、レンズ１１１ｂを移動することによって撮影レンズ１１１の焦点距離を変更するズーム駆動回路１４７などを備えている。
【００２４】
なお、Ａ／Ｄ変換部１１５、画像信号処理部１２１、バッファメモリ１２９、入出力Ｉ／Ｆ１３１、操作部１３７、ＣＰＵ１３９、表示部１４１、ＲＯＭ１４３、ＡＦ駆動回路１４５、ズーム駆動回路１４７は互いにバスによって接続されている。また、入出力Ｉ／Ｆ１３１には、ＵＳＢＩ／Ｆ１３３およびＩＣカードＩ／Ｆ１３５が接続されている。
【００２５】
［操作部１３７の構成の説明］
操作部１３７には、レリーズ入力部１３７ａ、タイマー入力部１３７ｂおよび外部センサ入力部１３７ｃが接続されており、これらレリーズ入力部１３７ａ、タイマー入力部１３７ｂおよび外部センサ入力部１３７ｃからの信号を受信した場合には撮像する旨の信号をメモリコントローラ１２５やＣＰＵ１３９に送信する機能を有する。なお、レリーズ入力部１３７ａは、レリーズスイッチが使用者によって押されたことを検知した際にはその旨を示す信号を操作部１３７に送信する機能を有する。また、タイマー入力部１３７ｂは、撮像のために予め設定された時間が経過した際にその旨を示す信号を操作部１３７に送信する機能を有する。また、外部センサ入力部１３７ｃは、撮像装置１００の外部からの撮像指示を取得した際にはその旨を示す信号を操作部１３７に送信する機能を有する。なお、以下の説明ではレリーズ入力部１３７ａを例に挙げる。
【００２６】
［Ａ／Ｄ変換部１１５の構成の説明］
Ａ／Ｄ変換部１１５は、ＣＤＳ１１７およびＡ／Ｄ変換器１１９から構成されている。
このうちＣＤＳ１１７は、ＣＣＤ１１３によって光電変換された画像信号を所定のタイミングでサンプリングし、そのサンプリングした信号を、内蔵するＡＧＣ１１７ａで所定のレベルに増幅する機能を有する。
【００２７】
また、Ａ／Ｄ変換器１１９は、ＣＤＳ１１７でサンプリングした画像信号をディジタル化してＤＳＰ１２３に供給する機能を有する。
［画像信号処理部１２１の構成の説明］
画像信号処理部１２１は、ＤＳＰ１２３およびメモリコントローラ１２５から構成されている。
【００２８】
このうちＤＳＰ１２３は、ＣＣＤ１１３にＣＣＤ水平駆動パルスを供給するとともに、ＶＤＲＶ１２７を制御してＣＣＤ１１３にＣＣＤ垂直駆動パルスを供給させる機能を有する。
【００２９】
また、メモリコントローラ１２５は、ＤＳＰ１２３を制御することにより、ＤＳＰ１２３に供給された画像信号をバッファメモリ１２９のデータ領域に一旦記憶させる機能を有するとともに、バッファメモリ１２９のデータ領域に記憶されている画像データを読み出し、その画像データを圧縮した後、その圧縮処理された画像データ（以下、単に撮影画像データという）を、ＩＣカードＩ／Ｆ１３５を介してＩＣカードの所定領域（撮影画像記録領域）に記録させる機能を有する。
【００３０】
また、メモリコントローラ１２５は、ＤＳＰ１２３に供給された画像データをバッファメモリ１２９のフレームメモリ領域に記憶させるとともに、その画像データを表示部１４１に表示させる機能を有する。
【００３１】
また、メモリコントローラ１２５は、上述のＤＳＰ１２３に供給された画像データが撮像された際の各種設定を示す撮影情報をＤＳＰ１２３から取得し、その取得した撮影情報を上述の画像データと対応付けてバッファメモリ１２９のフレームメモリ領域（後述）に記憶させる機能を有する（図３（ａ）参照）。また、メモリコントローラ１２５は、図３（ｂ）に例示するように、フレーム内に予め設定された複数のフォーカス点のうち撮像時の合焦位置のフォーカス点を選択し、その選択されたフォーカス点の座標を、ＤＳＰ１２３に供給された画像データにおける焦点の位置として特定する機能を有している。また、上述の撮影情報には、上述のように特定した画像データにおける焦点の位置を示す情報（合焦位置に関する情報）が含まれる。なお、本実施形態では、図３（ｂ）に例示するように、フレーム内に７つのフォーカス点（Ｆ１〜Ｆ７）が予め設定されている。
【００３２】
また、メモリコントローラ１２５は、入出力Ｉ／Ｆ１３１およびＩＣカードＩ／Ｆ１３５を介してＩＣカードから撮影画像データを読み出し、その読み出した撮影画像データを伸張した後、伸張後の画像データをバッファメモリ１２９のフレームメモリ領域に記憶させ、その伸張後の画像データを表示部１４１に表示させる機能を有する。
【００３３】
また、メモリコントローラ１２５は、ＩＣカードへの撮影画像データの記録、伸張後の画像データのバッファメモリ１２９への記憶などにおけるデータ入出力のタイミング管理を行う機能を有する。
【００３４】
また、メモリコントローラ１２５は、図示しない時計回路及びバックアップ電池を内蔵しており、撮影した日時の情報を画像データのヘッダ情報として、ＩＣカードの撮影画像記録領域に記録する機能を有する。すなわち、ＩＣカードの撮影画像記録領域に記録される撮影画像データには、撮影日時のデータが付随している。
【００３５】
［バッファメモリ１２９の構成の説明］
バッファメモリ１２９は、データ領域とフレームメモリ領域に分割されている。このうちバッファメモリ１２９のデータ領域は、処理の途中のデータを一時的に保持する他、入出力Ｉ／Ｆ１３１に対するデータの入出力の速度とＣＰＵ１３９やＤＳＰ１２３などにおける処理速度の違いを緩和するために利用される。また、バッファメモリ１２９のフレームメモリ領域は、表示部１４１の各画素の値を保持するフレームメモリとして使用される。
【００３６】
［ＣＰＵ１３９の構成の説明］
ＣＰＵ１３９は、電源スイッチなどの操作スイッチ（図示省略）からの信号を受け取り、適宜処理する機能を有する。すなわち、ＣＰＵ１３９は、操作部１３７を介してレリーズ入力部１３７ａなどから撮像する旨の指示を取得した場合にその撮像指示に従って撮像装置１００の各構成部位へ動作を指示するための信号を送信する機能を有する。
【００３７】
より具体的には、ＣＰＵ１３９は、ＡＦ駆動回路１４５を制御して撮影レンズ１１１のレンズ１１１ａを移動させることにより、オートフォーカス動作を行う機能を有するとともに、操作スイッチのズームボタン（図示省略）における操作に応じて、ズーム駆動回路１４７を制御して撮影レンズ１１１のレンズ１１１ｂを移動させることにより、撮影レンズ１１１の焦点距離を変更する機能を有する。
【００３８】
また、ＣＰＵ１３９は、ＩＣカードに記憶されている画像を表示部１４１に表示させている場合には、操作スイッチのズームボタン（図示省略）における操作に応じて、表示部１４１に表示させている画像の倍率を変更して表示画像を（イ）全体表示、（ロ）縮小表示または（ハ）拡大表示する機能を有する。
【００３９】
具体的には、（イ）画像全体を表示する場合には（全体表示）、ＣＰＵ１３９は、バッファメモリ１２９のフレーム領域に記憶されている元の画像の画素数を表示部１４１の画素数と一致するまで間引くことで画像を生成し、その生成した画像を表示部１４１に表示させる。
【００４０】
（ロ）また、画像を縮小して表示する場合には（縮小表示）、ＣＰＵ１３９は、バッファメモリ１２９のフレームメモリ領域に記憶されている元の画像の画素数を表示部１４１の画素数より少なくなるように間引くことで表示部１４１の画素数よりその画素数が少ない画像を生成する。このように生成した画像は、表示部１４１の画面より小さな縮小画像となる。そして、この生成した画像を表示部１４１に表示させる。
【００４１】
（ハ）また、画像を拡大して表示する場合には（拡大表示）、ＣＰＵ１３９は、バッファメモリ１２９のフレームメモリ領域に記憶されている元の画像から画素を間引く割合を、画像全体を表示させる場合よりも少ない割合とすることによって、表示部１４１の画素数よりその画素数が多い画像を生成する。このことにより、表示部１４１に画像全体を表示する場合に比べて拡大したように見える画像となる。そして、この生成した画像を表示部１４１に表示させる。なお、最大拡大の表示の場合には上述のように画素を間引く処理は行わない。
【００４２】
なお、このように画像の再生を行っている際には、操作スイッチのズームボタン（図示省略）が操作されても、ＣＰＵ１３９は、撮影レンズ１１１の焦点距離の変更を行わない。
【００４３】
なお、ＣＣＤ１１３は、撮像手段に該当する。また、メモリコントローラ１２５は焦点情報特定手段に該当する。また、バッファメモリ１２９は、記憶手段に該当する。また、操作部１３７は、指示手段に該当する。また、ＣＰＵ１３９は、記憶制御手段に該当する。
【００４４】
［画像提示装置２００の構成の説明］
画像提示装置２００は、図２に示すように、所定の処理プログラムに基づいて処理を実行するＣＰＵ２０２、ハードディスク（ＨＤＤ）２０４、種々の制御プログラムが格納されたＲＯＭ２０６、外部装置から入力したデータ等を格納するＲＡＭ２０８、入出力Ｉ／Ｆ２１０、ユーザＩ／Ｆ２１２、およびＬＣＤによって構成され、画像データを表示可能な表示部２１６などを備えており、周知のパーソナルコンピュータにより構成される。また、ＣＰＵ２０２、ＨＤＤ２０４、ＲＯＭ２０６、ＲＡＭ２０８、入出力Ｉ／Ｆ２１０、およびユーザＩ／Ｆ２１２は互いにバスによって接続されている。また、入出力Ｉ／Ｆ２１０には、ＵＳＢＩ／Ｆ２１３およびＩＣカードＩ／Ｆ２１４が接続されている。
【００４５】
［ユーザＩ／Ｆ２１２の構成の説明］
ユーザＩ／Ｆ２１２は、利用者により操作可能な複数の操作キー２１２ａおよび各種情報を提示する提示パネル２１２ｂを備えている。また、ユーザＩ／Ｆ２１２は、操作キー２１２ａを介して利用者から各種指示を受け付けることが可能である。一例を挙げると、画像データから作成した「通常サムネイル」を提示する旨の指示（通常サムネイル提示指示）や、画像データにおける焦点の位置を中心とする矩形領域から作成したサムネイルを提示する旨の指示（拡大サムネイル提示指示）などである。
【００４６】
［ＨＤＤ２０４の構成の説明］
ＨＤＤ２０４には、ＣＰＵ２０２が画像処理を実行するための画像処理プログラム２０４ａの記憶領域が確保されている。
【００４７】
［ＣＰＵ２０２の構成の説明］
ＣＰＵ２０２は、ユーザＩ／Ｆ２１２が「通常サムネイル提示指示」を受け付けた場合に、入出力Ｉ／Ｆ２１０によって取得された画像データから通常のサムネイルを作成する機能を有する（通常サムネイル作成処理）。
【００４８】
また、ＣＰＵ２０２は、ユーザＩ／Ｆ２１２が「拡大サムネイル提示指示」を受け付けた場合に、入出力Ｉ／Ｆ２１０によって取得された画像データに対して、入出力Ｉ／Ｆ２１０によって取得した焦点の位置を中心とした矩形領域（図５（ａ）参照）を設定し、その画像データにおける矩形領域からサムネイルを作成する機能を有する（拡大サムネイル作成処理）。
【００４９】
また、ＣＰＵ２０２は、上述のように通常サムネイル作成処理や拡大サムネイル作成処理を実行することによって作成したサムネイルを、表示部２１６にて表示させる機能を有する（図１および図５（ｂ）参照）。
【００５０】
また、ＣＰＵ２０２は、後述するサムネイル作成処理（１）を実行する。
なお、入出力Ｉ／Ｆ２１０は取得手段に該当する。また、ユーザＩ／Ｆ２１２は受付手段に該当する。また、ＣＰＵ２０２は、サムネイル作成手段および提示制御手段に該当する。また、表示部２１６は提示手段に該当する。
【００５１】
また、入出力Ｉ／Ｆ２１０に印刷装置２０を接続し（図４参照）、上述の画像処理した画像データを、入出力Ｉ／Ｆ２１０を介して印刷装置２０に送信して出力してもよい。この場合、入出力Ｉ／Ｆ２１０は印刷装置２０とともに提示手段に該当する。
【００５２】
［撮像装置１００の撮像処理］
以下に、撮像装置１００のＣＰＵ１３９およびメモリコントローラ１２５により実行される撮像処理の処理手順を図６のフローチャートおよび図５（ａ）に基づいて説明する。なお、図５（ａ）は画像データＡを示す説明図である。
【００５３】
この撮像処理は、撮像装置１００の電源がオンである場合に実行される。
まず、ＣＰＵ１３９が、操作部１３７からの信号を受信したかを判断することにより、レリーズスイッチが使用者によって押されたか否かを検出する（Ｓ３１０）。レリーズスイッチが使用者によって押された場合には、メモリコントローラ１２５を制御することで以下の各ステップを実行させる。すなわち、合焦位置（Ｘ１、Ｙ１）を決定するとともに（Ｓ３２０、図５（ａ）参照）、自動露出を決定する（Ｓ３３０）。そして、バッファメモリ１２９に合焦位置に関する情報を含む撮影情報をバッファメモリ１２９のデータ領域へ記録する（Ｓ３４０）。
【００５４】
続いて、ＣＣＤ１１３から画像データを取り込み、その取り込んだ画像データをバッファメモリ１２９に記録させる（Ｓ３５０、図１参照）。具体的には、ファインダで観察される被写体の光画像が撮影レンズ１１１によって集光され、複数の画素を備えるＣＣＤ１１３に結像する。このＣＣＤ１１３に結像した被写体の光画像が、各画素で画像信号に光電変換され、Ａ／Ｄ変換部１１５のＣＤＳ１１７によってサンプリングされる。ＣＤＳ１１７によってサンプリングされた画像信号は、Ａ／Ｄ変換回路１１９に送信され、そこでディジタル化されて画像信号処理部１２１のＤＳＰ１２３に出力される。ＤＳＰ１２３では、その画像データをバッファメモリ１２９のデータ領域に記録する。
【００５５】
続いて、バッファメモリ１２９のデータ領域に記録された画像データとバッファメモリ１２９のデータ領域に記録された撮影情報とを対応付ける（Ｓ３６０、図３（ａ）参照）。
【００５６】
そして、対応付けられた画像データと撮影情報とをＩＣカードに保存する（Ｓ３７０）。具体的には、メモリコントローラ１２５が、バッファメモリ１２９からその画像データを、対応付けられた撮影情報とともに読み出し、画像データをＪＰＥＧ方式に従って圧縮し、その圧縮した画像データと撮影情報とをＩＣカードの撮影画像記録領域に記録させる。このとき、ＩＣカードの撮影画像記録領域には、撮影日時のデータが、撮影画像データのヘッダ情報として記録される。なお、上述のように圧縮した画像データと撮影情報とが記録されたＩＣカードについては、ＩＣカードＩ／Ｆ１３５との接続を解除して持ち運ぶことができる。
【００５７】
そして、本処理を終了する。
［画像提示装置２００のサムネイル作成処理（１）］
以下に、画像提示装置２００のＣＰＵ２０２により実行されるサムネイル作成処理（１）の処理手順を図７のフローチャートに基づいて説明する。このサムネイル作成処理は、画像提示装置２００の電源がオンであり、撮像装置１００によって撮像された画像データおよび撮影情報が記録されたＩＣカードを例えばＩＣカードレコーダーに挿入することでＩＣカードＩ／Ｆ２１４に接続した場合に実行される。
【００５８】
まず、ＩＣカードＩ／Ｆ２１４に接続されたＩＣカードから画像データを撮影情報とともに取り込み（Ｓ４１０）、その取り込んだ画像データおよび撮影情報をＲＡＭ２０８に記憶させる（Ｓ４２０）。
【００５９】
続いて、拡大サムネイルを表示部２１６へ表示するか否かを判断する（Ｓ４３０）。具体的には、ユーザＩ／Ｆ２１２が操作キー２１２ａを介して「拡大サムネイル提示指示」を受け付けたか否かを、ユーザＩ／Ｆ２１２から転送された信号によって判断する。ユーザＩ／Ｆ２１２が「拡大サムネイル提示指示」を受け付けた場合には（Ｓ４３０：ＹＥＳ）、拡大サムネイルを表示部２１６へ表示する。すなわち、ＲＡＭ２０８が記録する撮影情報から合焦位置に関する情報を読み出し（Ｓ４４０）、その合焦位置に関する情報に基づき、合焦位置（Ｘ１，Ｙ１）を中心に部分拡大画像（拡大サムネイル）を作成する（Ｓ４５０）。そして、作成した拡大サムネイルを表示部２１６に表示させ（Ｓ４６０、図１参照）、本処理を終了する。
【００６０】
一方、ユーザＩ／Ｆ２１２が「拡大サムネイル提示指示」を受け付けていない場合には（Ｓ４３０：ＮＯ）、拡大サムネイルではなく通常サムネイルを表示部２１６へ表示する。すなわち、ＲＡＭ２０８が記録する画像データを読み出し、その読み出した画像データから通常のサムネイル画像を作成する（Ｓ４７０）。そして、作成した通常のサムネイルを表示部２１６に表示させ（Ｓ４８０）、本処理を終了する。
【００６１】
なお、上述のようにユーザＩ／Ｆ２１２が「拡大サムネイル提示指示」を受け付けていない場合には、さらに、ユーザＩ／Ｆ２１２が「通常サムネイル提示指示」を受け付けたか否かを判断し、ユーザＩ／Ｆ２１２が「通常サムネイル提示指示」を受け付けた場合には、通常のサムネイル画像を作成して表示部２１６に表示させ、本処理を終了するようにしてもよい。
【００６２】
［効果］
このように第一実施形態の画像提示システム１によれば、撮像装置１００が、撮像対象の画像を撮像した際にその画像の焦点の位置を特定し、画像提示装置２００が、画像における焦点の位置を中心とする矩形領域からサムネイル（拡大サムネイル）を作成し、その作成したサムネイルを表示部２１６にて提示する。このことにより、撮像装置１００によって撮像された画像から、使用者にとって写り具合がよいか否かを確認したい部分が含まれる拡大画像（サムネイル）を作成して提示することができ、したがって、使用者がピントや手ぶれ等の確認を容易に行うことができる。
【００６３】
また、第一実施形態の画像提示システム１が備える画像提示装置２００によれば、ＣＰＵ２０２が、撮像装置１００によって撮像された画像、およびその画像の焦点の位置を示す情報を取得し、その取得した画像における焦点の位置を中心とする矩形領域からサムネイル（拡大サムネイル）を作成し、その作成したサムネイルを表示部２１６にて提示する。このことにより、撮像装置１００によって撮像された画像から、使用者にとって写り具合がよいか否かを確認したい部分が含まれる拡大画像（サムネイル）を作成して提示することができ、したがって、使用者がピントや手ぶれ等の確認を容易に行うことができる。
［第ニ実施形態］
上記第一実施形態では、サムネイル作成処理（１）を実行することにより、通常サムネイルまたは拡大サムネイルの何れかを表示部２１６にて提示させているが、これに対して第二実施形態では、サムネイル作成処理（１）の代わりにサムネイル作成処理（２）を実行することにより、通常サムネイルと拡大サムネイルとを表示部２１６にて並べて提示させる。
【００６４】
［画像提示装置２００のサムネイル作成処理（２）］
以下に、画像提示装置２００のＣＰＵ２０２により実行されるサムネイル作成処理（２）の処理手順を図８のフローチャートおよび図５（ｂ）に基づいて説明する。なお、図５（ｂ）は、画像提示装置２００の表示部２１６にて通常のサムネイル画像と拡大サムネイル画像とを並べて表示した表示例である。
【００６５】
このサムネイル作成処理は、画像提示装置２００の電源がオンである場合に実行される。
まず、ＩＣカードＩ／Ｆ２１４に挿入されたＩＣカードから画像データを、対応付けられた撮影情報とともに取り込み（Ｓ５１５）、その取り込んだ画像データおよび撮影情報をＲＡＭ２０８に記憶する（Ｓ５１０）。
【００６６】
続いて、ＲＡＭ２０８が記録する画像データを読み出し、その読み出した画像データから通常のサムネイル画像を作成（Ｓ５１５）、その作成したサムネイルをＲＡＭ２０８に記憶する。
【００６７】
続いて、拡大サムネイルを表示部２１６へ表示するか否かを判断する（Ｓ５２５）。具体的には、ユーザＩ／Ｆ２１２が操作キー２１２ａを介して「拡大サムネイル提示指示」を受け付けたか否かを、ユーザＩ／Ｆ２１２から転送された信号によって判断する。ユーザＩ／Ｆ２１２が「拡大サムネイル提示指示」を受け付けていない場合には（Ｓ５２５：ＮＯ）、拡大サムネイルではなく通常サムネイルを表示部２１６へ表示する。すなわち、先に作成した通常サムネイルをＲＡＭ２０８から読み出して表示部２１６に表示させ（Ｓ４８０）、本処理を終了する。なお、上述のようにユーザＩ／Ｆ２１２が「拡大サムネイル提示指示」を受け付けていない場合には、さらに、ユーザＩ／Ｆ２１２が「通常サムネイル提示指示」を受け付けたか否かを判断し、ユーザＩ／Ｆ２１２が「通常サムネイル提示指示」を受け付けた場合には、通常のサムネイル画像を作成して表示部２１６に表示させ、本処理を終了するようにしてもよい。
【００６８】
一方、ユーザＩ／Ｆ２１２が「拡大サムネイル提示指示」を受け付けた場合には（Ｓ５２５：ＹＥＳ）、拡大サムネイルを表示部２１６へ表示する。すなわち、ＲＡＭ２０８が記録する撮影情報から合焦位置に関する情報を読み出し（Ｓ５３０）、その合焦位置に関する情報に基づき、合焦位置（Ｘ１，Ｙ１）を中心に部分拡大画像（拡大サムネイル）を作成する（Ｓ５３５）。
【００６９】
続いて、通常サムネイルおよび拡大サムネイルを表示部２１６にて並べて表示するか否かを判断する（Ｓ５４０）。具体的には、ユーザＩ／Ｆ２１２が操作キー２１２ａを介して「両サムネイル同時提示指示」を受け付けたか否かを、ユーザＩ／Ｆ２１２から転送された信号によって判断する。なお、「両サムネイル同時提示指示」とは、通常サムネイルおよび拡大サムネイルを並べて提示する旨の指示を云う。ユーザＩ／Ｆ２１２が「両サムネイル同時提示指示」を受け付けた場合には（Ｓ５４０：ＹＥＳ）、先に作成した通常サムネイルをＲＡＭ２０８から読み出し、その読み出した通常サムネイルと先に作成した拡大サムネイルとを表示部２１６にて並べて表示させ（Ｓ５４５、図５（ｂ）参照）、本処理を終了する。
【００７０】
一方、ユーザＩ／Ｆ２１２が「両サムネイル同時提示指示」を受け付けていない場合には（Ｓ５４０：ＮＯ）、先に作成した拡大サムネイルを表示部２１６に表示させ（Ｓ５５０）、本処理を終了する。
【００７１】
このように第ニ実施形態によれば、通常サムネイルと拡大サムネイルとを表示部２１６にて並べて提示させる。このことにより、使用者が提示された通常サムネイルおよび拡大サムネイルを比較することができるので、その画像の写り具合がよいか否かを確認しやく、使用者がピントや手ぶれ等の確認をより容易に行うことができる。
［他の実施形態］
以上、本発明の一実施形態について説明したが、本発明は上記実施形態に限定されるものではなく、様々な態様にて実施することが可能である。
【図面の簡単な説明】
【００７２】
【図１】実施形態の画像提示システムの全体構成を示すブロック図である。
【図２】撮像装置の全体構成を示すブロック図である。
【図３】（ａ）は撮像装置のバッファメモリが記憶するデータの構造を示す説明図であり、（ｂ）は撮像装置のファインダ画像を示す説明図である。
【図４】画像提示装置の全体構成を示すブロック図である。
【図５】（ａ）は画像データを示す説明図であり、（ｂ）は画像提示装置の表示部にて通常サムネイルと拡大サムネイルとを並べて表示した表示例である。
【図６】撮像装置のＣＰＵが実行する撮像処理を示すフローチャートである。
【図７】画像提示装置のＣＰＵが実行するサムネイル画像作成処理（１）を示すフローチャートである。
【図８】画像提示装置のＣＰＵが実行するサムネイル画像作成処理（２）を示すフローチャートである。
【符号の説明】
【００７３】
１…画像提示システム、２０…印刷装置、１００…撮像装置、１１１…撮影レンズ、１１１ａ，１１１ｂ…レンズ、１１３…ＣＣＤ、１１５…Ａ／Ｄ変換部、１１７…ＣＤＳ、１１７ａ…ＡＧＣ、１１９…Ａ／Ｄ変換器、１２１…画像信号処理部、１２３…ＤＳＰ、１２５…メモリコントローラ、１２７…ＶＤＲＶ、１２９…バッファメモリ、１３１，２１０…入出力Ｉ／Ｆ、１３３，２１３…ＵＳＢＩ／Ｆ、１３５，２１４…ＩＣカードＩ／Ｆ、１３７…操作部、１３７ａ…レリーズ入力部、１３７ｂ…タイマー入力部、１３７ｃ…外部センサ入力部、１３９，２０２…ＣＰＵ、１４１，２１６…表示部、１４３，２０６…ＲＯＭ、１４５…ＡＦ駆動回路、１４７…ズーム駆動回路、２００…画像提示装置、２０４…ＨＤＤ、２０４ａ…画像処理プログラム、２０８…ＲＡＭ、２１２…ユーザＩ／Ｆ、２１２ａ…操作キー、２１２ｂ…提示パネル
【図１】
2006270578.tif 000003
【図２】
2006270578.tif 000004
【図３】
2006270578.tif 000005
【図４】
2006270578.tif 000006
【図５】
2006270578.tif 000007
【図６】
2006270578.tif 000008
【図７】
2006270578.tif 000009
【図８】
2006270578.tif 000010